(57)【要約】【課題】  キックボードを前進させる時、足で地面を蹴ることなく、間欠性により加速可能なキックボードの加速構造を提供する。【解決手段】  立板１、踏板２、弾性部品３、扇形歯棒４、伝動ギア５、車輪軸６、単方向爪車ユニット７、加速ギアユニット８、後輪９から構成される。立板１後端近くには弾性部品３と踏板２の一端が枢設され、踏板２一端から固定板２１が伸び、扇形歯棒４と固定する。扇形歯棒４は伝動ギア５と噛み合い、伝動ギア５は車輪軸６に嵌合される。伝動ギア５と単方向爪車ユニット７が連動し、単方向爪車ユニット７が単方向に出力して加速ギアユニット８を連動し、加速ギアユニット８が出力して後輪９を連動する。これにより、踏板２を踏むと、扇形歯棒４は伝動ギア５を経て単方向爪車ユニット７、加速ギアユニット８及び後輪９を動かす。【選択図】    図１
0003103632.tif 000002
【実用新案登録請求の範囲】
【請求項１】
立板、踏板、弾性部品、扇形歯棒、伝動ギア、車輪軸、単方向爪車ユニット、加速ギアユニット、後輪を備えるキックボードの加速構造において、
立板後端近くには弾性部品と踏板の一端が枢設され、踏板一端から固定板が伸び、扇形歯棒と固定し、扇形歯棒は伝動ギアと噛み合い、伝動ギアは車輪軸に嵌合され、伝動ギアと単方向爪車ユニットが連動し、単方向爪車ユニットが単方向に出力して加速ギアユニットを連動し、加速ギアユニットが出力して後輪を連動し、踏板が踏まれると、扇形歯棒は伝動ギアを経て単方向爪車ユニット、加速ギアユニット及び後輪を動かすことを特徴とするキックボードの加速構造。
【請求項２】
前記踏板は、円弧形状であることを特徴とする請求項１記載のキックボードの加速構造。
【請求項３】
前記単方向爪車ユニットは、内盤、外盤、制動塊及びバネを有し、外盤には爪車形状の凹部が設置され、内盤と外盤との間に制動塊とバネが設置され、且つバネ最上部は制動塊によって爪車形状の凹部に押されているため、内盤が正方向回転した時だけ、制動塊が外盤を掛合して外盤を連動し、反対に内盤が逆回転した時には凹部の形状によって制動塊が引戻されてバネを圧縮し、内盤と外盤が相対して空転するものであり、別に伝動ギアと単方向爪車ユニットの内盤は固定して連動することを特徴とする請求項１記載のキックボードの加速構造。
【請求項４】
前記加速ギアユニットは、恒星ギア、惑星ギア系及び出力ギアを有し、惑星ギア系は板体上にそれぞれ惑星ギア、小ギア及び大ギアが枢設され、小ギアと大ギアは同軸で板体上に枢設され、且つ惑星ギアは各々恒星ギア、小ギア、大ギアに噛み合って出力ギアと噛み合うものであり、出力ギアはカバー管と後輪のこしきに固定されて連動し、別に恒星ギアと単方向爪車ユニットの外盤が固定して連動することを特徴とする請求項１記載のキックボードの加速構造。
【請求項５】
前記加速ギアユニットは、恒星ギア、惑星ギア系及び出力ギアを有し、惑星ギア系は板体上に惑星ギアが枢設されるもので、惑星ギアは各々が恒星ギア、出力ギアに噛み合い、出力ギアはカバー管と後輪のこしきに固定して連動し、別に恒星ギアと単方向爪車ユニットの外盤は固定して連動することを特徴とする請求項１記載のキックボードの加速構造。
【考案の詳細な説明】
【技術分野】
【０００１】
本考案は、キックボードの加速構造に関するもので、特にキックボードを前進させる時、足で地面を蹴ることなく、間欠性により加速するものである。
【背景技術】
【０００２】
今日見られるキックボードは、主にボード上に車輪が枢設され、使用者は足で地面を蹴って前進させる。１回蹴るごとにキックボードは、一定距離を前進して減速し、また蹴っては前進するという方法で進む。しかしながら、使用者は常に地面を蹴りながら進まなければならない。運動効果から考えれば、有効な運動量を得られるが、効率面から考えると、運動量が大きいわりに前進距離は短いので、使用者はしばらくすると飽きてしまいやすい。
【考案の開示】
【考案が解決しようとする課題】
【０００３】
解決しようとする問題点は、走行中、使用者が地面に足をつけたくないと思う時、例えば砂埃の多い土の上や水溜りがある場所などで、速度が落ちて通り抜けができない場合でも足を地面に下ろさなければならず、不快感を持つ点である。
【０００４】
したがって本考案の目的は、キックボードを前進させる時、足で地面を蹴ることなく、間欠性により加速可能なキックボードの加速構造を提供することにある。
【課題を解決するための手段】
【０００５】
上述の目的を達成するために本考案の請求項に記載のキックボードの加速構造は、立板、踏板、弾性部品、扇形歯棒、伝動ギア、車輪軸、単方向爪車ユニット、加速ギアユニット、後輪から構成される。立板後端近くには弾性部品と踏板の一端が枢設され、踏板一端から固定板が伸び、扇形歯棒と固定する。扇形歯棒は伝動ギアと噛み合い、伝動ギアは車輪軸に嵌合される。伝動ギアと単方向爪車ユニットが連動し、単方向爪車ユニットが単方向に出力して加速ギアユニットを連動し、加速ギアユニットが出力して後輪を連動する。これにより、踏板を踏むと、扇形歯棒は伝動ギアを経て単方向爪車ユニット、加速ギアユニット及び後輪を動かすことを最も主要な特徴とする。
【０００６】
本考案のキックボードの加速構造は、キックボードを前進させる時、足で地面を蹴ることなく、加速するという利点がある。
【考案を実施するための最良の形態】
【０００７】
以下、本考案の実施例を図面に基づいて説明する。
図１及び図２に示すように、本実施例は、立板１、踏板２、弾性部品３、扇形歯棒４、伝動ギア５、車輪軸６、単方向爪車ユニット７、加速ギアユニット８、後輪９から構成され、立板１に近い後端には枢設ピン１２で弾性部品３と円弧形の踏板２一端が枢設される。また立板１後端はフォーク板１１に成形されて止めピン１３が設置される。踏板２の一端には固定板２１が延び、扇形歯棒４の円心端に固定される。踏板２側面には欠切口２２が成形されて止めピン１３に対応する。扇形歯棒４側面は伝動ギア５と噛み合い、伝動ギア５はベアリング若しくはカバー管で車輪軸６に嵌合される。円弧形の踏板２は、使用者が様々な角度で踏みやすいように、有効な力がかけられ、踏板２は扇形歯棒４に連動する。図２に示すように、後輪９とフォーク板１１別側の間にはブレーキが設置されているが、図中では省略し、説明も省く。
【０００８】
図３に示すように、単方向爪車ユニット７は、内盤７１、外盤７２、制動塊７３、バネ７４から構成され、そのうち外盤７２には爪車形状の凹部７２１が成形される。内盤７１と外盤７２間には制動塊７３とバネ７４が設置され、且つバネ７４最上部が制動塊７３を爪車形状の凹部７２１方向に押さえている。これによって内盤７１は単方向（正方向）にのみ回転し、制動塊７３が外盤７２を掛合して外盤７２と連動する。内盤７１が逆回転すると、凹部７２１の形状により、制動塊７３を引戻してバネ７４を圧縮し、内盤７１と外盤７２が相対して空転する。この他伝動ギア５は単方向爪車ユニット７の内盤７１に固定されて連動する。
【０００９】
図４に示すように、加速ギアユニット８は、恒星ギア８１、惑星ギア系８２及び出力ギア８３から構成される。惑星ギア系８２は板体上にそれぞれ惑星ギア８２１、小ギア８２２、大ギア８２３が枢設され、小ギア８２２と大ギア８２３は同軸で板体上に枢設される。板体中心孔８２４は非円形（即ち欠切面を具える）で、車輪軸６の欠切面がある軸段に嵌合する。更に惑星ギア８２１はそれぞれが恒星ギア８１、小ギア８２２、大ギア８２３と噛み合って、出力ギア８３に噛み合される。出力ギア８３は内側の非円形（即ち欠切面を具える）のカバー管８３１に固定し、カバー管８３１を後輪９の欠切面を具えた車輪のこしき（図未提示）に嵌合し、カバー管８３１と後輪９が固定され、連動する。この他、恒星ギア８１と単方向爪車ユニット７の外盤７２を固定して連動し、単方向爪車ユニット７は外盤７２によって単方向に出力し、加速ギアユニット８の恒星ギア８１と連動する。加速ギアユニット８から出力ギア８３によって出力され、後輪９と連動する。
【００１０】
図５には、加速ギアユニットの別の形態（簡素化）を示す。加速ギアユニット８Ａは恒星ギア８１Ａ、惑星ギア８２Ａ及び出力ギア８３Ａから構成され、惑星ギア系８２Ａは一枚の板体上に惑星ギア８２１Ａを枢設する。非円形（即ち欠切面を具える）板体中心孔８２４Ａには、欠切面を具える車輪軸６の軸段を嵌合し、且つ出力ギア８３Ａは内側が非円形（即ち欠切面を具える）のカバー管８３１Ａを固定する。カバー管８３１Ａは、欠切面を具えた後輪９のこしき（図未提示）に嵌合する。この他、恒星ギア８１Ａと単方向爪車ユニット７の外盤７２を固定して連動し、単方向爪車ユニット７は外盤７２によって単方向に出力し、加速ギアユニット８Ａの恒星ギア８１Ａに連動する。加速ギアユニット８Ａから出力ギア８３Ａによって出力され、後輪９と連動する。
【００１１】
図６に示すように、踏板２を踏んだ時、扇形歯棒４は伝動ギア５を経て単方向爪車ユニット７を動かし、加速ギアユニット８及び後輪９を加速する。
加速ギアユニット８Ａの操作法は類似しているので、ここでは説明を省く。
【図面の簡単な説明】
【００１２】
【図１】本考案の実施例によるキックボードの加速構造を示す側面図である。
【図２】本考案の実施例によるキックボードの加速構造の局部を示す図である。
【図３】本考案の実施例によるキックボードの加速構造の単方向爪車ユニットの構造指示図である。
【図４】本考案の実施例によるキックボードの加速構造の加速ギアユニットの構造指示図である。
【図５】本考案の実施例によるキックボードの加速構造の加速ギアユニットの別の実施構造指示図である。
【図６】本考案の実施例によるキックボードの加速構造を示す作動指示図である。
【符号の説明】
【００１３】
１  立板、２  踏板、３  弾性部品、４  扇形歯棒、５  伝動ギア、６  車輪軸、７  単方向爪車ユニット、８  加速ギアユニット、８Ａ  加速ギアユニット、９  後輪、１１  フォーク板、１２  枢設ピン、１３  止めピン、２１  固定板、２２  欠切口、７１  内盤、７２  外盤、７２１  凹部、７３  制動塊、７４  バネ、８１  恒星ギア、８１Ａ  恒星ギア、８２  惑星ギア系、８２Ａ  惑星ギア系、８３  出力ギア、８３Ａ  出力ギア、８２１  惑星ギア、８２１Ａ  惑星ギア、８２２  小ギア、８２３  大ギア、８２４  中心孔、８２４Ａ  中心孔、８３１  カバー管、８３１Ａ  カバー管
【図１】
0003103632.tif 000003
【図２】
0003103632.tif 000004
【図３】
0003103632.tif 000005
【図４】
0003103632.tif 000006
【図５】
0003103632.tif 000007
【図６】
0003103632.tif 000008